(57)【特許請求の範囲】
【請求項１】
顧客の操作により現金取引を行う自動取引装置において、
一回の取引にて、取引金額と、かかるメモを追加可能な取引金額追加手段と、複数回繰り返して入力された前記取引金額毎に確認して前記取引を実行する確認手段とを有する入力手段と、該取引の結果として前記複数回繰り返して入力された金額および前記メモを関連付けて取引履歴記録媒体に記録する記録手段を備え、キーよりなる前記確認手段が押下されることにより前記取引金額の合計金額分の現金が一回の取引として処理されることを特徴とする自動取引装置。
【請求項２】
前記入力手段は、一回の取引にて、前記取引金額及び前記メモを順次複数回繰り返して入力可能に構成し、かつ前記メモを付記しないで前記取引金額を入力可能とすることを特徴とする請求項１記載の自動取引装置。
【請求項３】
前記入力手段は、一回の取引にて、取引金額の合計金額として入力し、当該合計金額を分割して所望の金額ごとにかかるメモを複数回繰り返して入力できるようにしたことを特徴とする請求項１記載の自動取引装置。
【請求項４】
前記取引履歴記録媒体は通帳またはレシートであって、前記記録手段は印字手段とし、  前記顧客が、前記レシートの出力を選択しない場合は、顧客が支払った金額及び入力されたメモを表示する表示手段を有することを特徴とする請求項１記載の自動取引装置。
【発明の詳細な説明】
【技術分野】
【０００１】
この発明は、銀行などの金融機関やコンビニエンスストアなどに設置され、現金取引を行って当該取引結果を所定の媒体に記録して出力する現金自動預払機等の自動取引装置に関するものである。
【背景技術】
【０００２】
近年、現金自動預払機等の自動取引装置においては、付加価値として顧客に対するサービスをさらに向上させることが急務となってきている。このサービスの向上の一つとして通帳を備忘録あるいは家計簿の代わりに使用できるように、支払金額を指定した後、メモ入力ボタンの押下によりメモ入力画面を表示し、指定金額の用途を入力可能にし、取引終了後に、通帳の所定欄に指定された金額を前記入力されたメモとともに印字する技術はあった（例えば、特許文献１参照）。
【先行技術文献】
【特許文献】
【０００３】
【特許文献１】特開平５−１６５８６９号公報
【発明の概要】
【発明が解決しようとする課題】
【０００４】
しかしながら、上記従来の自動取引装置では、複数の用途で出金し複数のメモを入力するためには支払取引を用途ごとに数回に分けて行わなくてはならず、取引に時間がかかり、また、手数料がかかる場合はその回数分の手数料を支払うことになってしまうといった問題があった。
【課題を解決するための手段】
【０００５】
本発明は、前述の課題を解決するため次の構成を採用する。すなわち、顧客の操作により現金取引を行う自動取引装置において、一回の取引にて、取引金額と、かかるメモを複数回繰り返して入力可能な入力手段と、当該取引の結果として前記複数回繰り返して入力された金額および前記メモを関連付けて取引履歴記録媒体に記録する記録手段を備えた。
【発明の効果】
【０００６】
本発明の自動取引装置によれば、顧客の操作により現金取引を行う自動取引装置において、一回の取引にて、取引金額と、かかるメモを複数回繰り返して入力可能な入力手段と、当該取引の結果として前記複数回繰り返して入力された金額および前記メモを関連付けて取引履歴記録媒体に記録する記録手段を備えたので、取引時間が長くなることなく、また、取引手数料も増加することなく、顧客へのサービスを向上させることができる。
【図面の簡単な説明】
【０００７】
【図１】実施例１の自動取引装置の外観斜視図である。
【図２】実施例１の自動取引装置の制御系ブロック図である。
【図３】実施例１の自動取引装置の動作フローチャート図である。
【図４】実施例１の自動取引装置の操作画面例である。
【図５】実施例１の自動取引装置の操作画面例である。
【図６】実施例１の自動取引装置の操作画面例である。
【図７】実施例１の自動取引装置の操作画面例である。
【図８】実施例１の自動取引装置のレシートおよび通帳印字例である。
【図９】実施例２の自動取引装置の動作フローチャート図である。
【図１０】実施例２の自動取引装置の操作画面例である。
【図１１】実施例２の自動取引装置の操作画面例である。
【発明を実施するための形態】
【０００８】
以下、本発明に係わる実施の形態例を、図面を用いて説明する。図面に共通する要素には同一の符号を付す。なお、以下の説明では、支払取引を例として説明するが入金取引、振込取引あるいは振替取引であっても本発明を同様に適用することができる。また、取扱う現金として紙幣を例として説明するが硬貨も取扱う場合であっても本発明を同様に適用することができる。
【実施例１】
【０００９】
（構成）
図１は、顧客の操作により現金の預入取引や支払取引、入金取引等ができる実施例１の自動取引装置１の外観を示す斜視図である。
【００１０】
同図に示したように自動取引装置１の外側には、赤外光等を発光しその反射光を検知する近接センサなどの顧客センサ１０と、本人確認を行うためのキャッシュカードを挿入し出力するカード挿入出力口１１と、液晶表示器に透明タッチパネルを積層してなる顧客の入力手段としての操作部１６と、紙幣を投入または出金する紙幣入出金口１４と、硬貨を入金または出金する硬貨入出金口１５と、通帳での取引を行う場合に通帳を挿入または出力する通帳挿入出力口１２と、取引結果を印字したレシートを出力するレシート出力口１３を備える。
【００１１】
実施例１の自動取引装置１の制御系は、図２に示したような構成となっている。すなわち、自動取引装置１の制御系は、各部を制御する主制御部２０に、前述の操作部１６と、スピーカ等から構成され音声案内を行なう音声案内部２２と、キャッシュカードに記録された情報のリードライトを行うカード処理部２３と、通帳記帳等の通帳処理を行う印字手段としての通帳記帳部２４と、前記レシートに印字を行うレシート印字部２５と、投入された紙幣を鑑別計数し収納する入金処理および紙幣を出金する出金処理を行う紙幣入出金部２６と、硬貨について同様の処理を行う硬貨入出金部２７が接続された構成となっている。
【００１２】
さらに、主制御部２０の記憶部として機能するメモリ部２９と、自動取引装置１で行った取引のデータ等の管理を行う金融機関等のホスト装置４０と回線３１にて接続されるインタフェイスを制御するインタフェイス部３０が主制御部２０に接続され、また、各部に電源を供給する電源部２８が備えられた構成となっている。
【００１３】
（動作）
以上の構成により実施例１の自動取引装置は、以下のように動作する。この動作を図３の動作フローチャート、図４ないし図７の操作画面例、図８のレシートおよび通帳印字例を用いて支払取引の動作を以下詳細に説明する。
【００１４】
まず、顧客が自動取引装置１に近づき顧客センサ１０により顧客を検知すると、主制御部２０は操作部１６の操作画面に取引選択画面を表示する。そして、表示された取引メニューから支払取引が選択されると、主制御部２０は操作部１６の操作画面にキャッシュカードの挿入を促すガイダンスを表示する。
【００１５】
そして、キャッシュカードがカード挿入出力口１１から挿入されると（ステップＳ０１）、カード処理部２３にてキャッシュカードに記録された情報から口座番号を取得し、暗証番号入力画面を表示する（ステップＳ０２）。
【００１６】
そして、暗証番号が入力され本人確認が完了すると（ステップＳ０３）、図４に示したような支払う金額を入力する金額入力画面を表示する（ステップＳ０４）。
【００１７】
そして、支払金額が入力され（ステップＳ０５）、「メモ入力」キー１０１が押下されると（ステップＳ０６）、図５のメモ入力画面を表示する（ステップＳ０７）。すると、顧客は「項目」キー５１や「入力」キー５３を用いて支払取引における現金の用途を入力フィールド５２に入力する（ステップＳ０８）。本例では、金額「２０，０００円」の用途が「ガクヒ」である例となっている。
【００１８】
用途の入力が完了し、「確認」キー１０３が押下されると、支払金額と用途の入力結果を確認するための図６（ａ）に示したような金額およびメモ確認画面を表示する（ステップＳ０９）。
【００１９】
そして、顧客が支払う金額をさらに追加したい場合は、「金額追加」キー１０４を押下すると（ステップＳ１０）、主制御部２０は図７に示したような追加金額入力画面を表示し（ステップＳ１１）、顧客は追加する支払金額を入力する（ステップＳ１２）。
【００２０】
顧客が入力した金額に対してその用途を入力したい場合は、「メモ入力」キー１１１を押下すると（ステップＳ１３）、ステップＳ０７に戻り、主制御部２０は図５のメモ入力画面を表示する。そして、顧客が、メモの追加分として、例えば金額「１０，０００円」を指定しその用途を「ショクヒ」として入力し「確認」キー１０３を押下すると、図６（ｂ）のように追加分の金額およびメモ確認画面を表示する。
【００２１】
一方、図４の金額入力画面で「確認」ボタン１０２が押下された場合（ステップＳ０６）および図６の金額およびメモ確認画面で「確認」ボタン１０５が押下された場合（ステップＳ１０）並びに図７の追加金額入力画面で「確認」ボタン１１２が押下された場合は（ステップＳ１３）、ステップＳ１４に進み、それまでに入力された支払金額の合計分の支払処理を行い（ステップＳ１４）、キャッシュカード、現金および図８（ａ）に示したように取引メモ１２１を付記したレシートを受取り（ステップＳ１５）、本処理を終了する。なお、顧客がレシートの出力を選択しなかったときは、操作部１６の操作画面に支払金額とともに入力された取引メモを表示するとよい。
【００２２】
このとき、自動取引装置１からホストコンピュータ４０には、一回の取引にて合計金額「３０，０００円」が指定されて取引を行ったものとして送信し、手数料を一回の支払取引にて発生する手数料とする。
【００２３】
そして、次の取引にて、顧客が、操作部１６の操作画面に表示される取引選択画面にて通帳記帳取引を選択すると、図８（ｂ）のように支払金額とともに入力した用途が取引メモ１２２として印字されて顧客に返却される。
【００２４】
（実施例１の効果）
以上のように実施例１の自動取引装置によれば、顧客の操作により現金取引を行う自動取引装置において、一回の取引にて、取引金額と、かかるメモを複数回繰り返して入力可能な入力手段と、当該取引の結果として前記複数回繰り返して入力された金額および前記メモを関連付けて通帳に印字する印字手段を備えたので、取引時間が長くなることなく、また、取引手数料も増加することなく、顧客へのサービスを向上させることができる。
【実施例２】
【００２５】
（構成）
実施例２の自動取引装置の構成および制御系の構成は実施例１と同様であるので、簡略化のためにその詳細な説明は省略する。
【００２６】
（動作）
以上の構成により、実施例２の自動取引装置は以下のように動作する。この動作を図９の動作フローチャート図、図１０および図１１の操作画面例を用いて以下詳細に説明する。なお、ステップＳ２１〜Ｓ２６、ステップＳ３３、Ｓ３４は実施例１のステップＳ０１〜Ｓ０６、ステップＳ１４、Ｓ１５と同様であるので、その説明を簡略化する。
【００２７】
まず、顧客が自動取引装置１に近づき顧客センサ１０により顧客を検知すると、主制御部２０は操作部１６の操作画面に取引選択画面を表示し、顧客が取引メニューから支払取引を選択すると、主制御部２０は操作部１６の操作画面にキャッシュカードの挿入を促すガイダンスを表示する。
【００２８】
次に、顧客がキャッシュカードをカード挿入出力口１１から挿入すると、カード処理部２３にてキャッシュカードに記録された情報から口座番号を取得し、暗証番号入力画面を表示する（ステップＳ２１、Ｓ２２）。
【００２９】
そして、顧客が暗証番号を入力し本人確認が完了すると、前述図４に示したような支払う金額を入力する金額入力画面を表示し（ステップＳ２３、Ｓ２４）、支払い合計金額、例えば３０，０００円を入力し（ステップＳ２５）、金額入力画面の「メモ入力」キー１０１を押下すると（ステップＳ２６）、図１０のメモ入力を行う金額入力画面を表示する（ステップＳ２７）。
【００３０】
そして、前記ステップＳ２５で入力した支払金額、３０，０００円から用途のメモを入力したい金額、例えば２０，０００円を入力する（ステップＳ２８）。
【００３１】
そして、金額の入力が完了し、「確認」キー２０１を押下すると、前述図５のメモ入力画面を表示し（ステップＳ２９）、メモを入力したい金額として入力した２０，０００円の用途を、例えば「ガクヒ」として入力し、「確認」キー１０３を押下すると（ステップＳ３０）、図１１に示したような金額およびメモ入力確認画面を表示する（ステップＳ３１）。
【００３２】
そして、メモ追加可能金額２１４を参照し、まだ、メモ入力していない支払金額にメモ入力を追加したい場合、「メモ追加」キー２１１を押下すると（ステップＳ３２）、ステップＳ２７に戻って、図１０のメモ入力を行う金額入力画面を表示し（ステップＳ２７）、用途のメモを入力したい金額と当該メモを入力し以降同様に行う。
【００３３】
一方、ステップＳ２６にて「確認」キーが押下された場合およびステップＳ３２にて図１１の金額およびメモ確認画面にて「確認」キー２１２が押下された場合は、ステップＳ３３に進み、それまでに入力された支払金額の合計分の支払処理を行い、顧客がキャッシュカード、現金、さらにレシート出力が選択されたときは、実施例１と同様、図８（ａ）に示したように取引メモ１２１を付記したレシートを受取り（ステップＳ３３、Ｓ３４）、本処理を終了する。
【００３４】
このとき、実施例１と同様、自動取引装置１からホストコンピュータ４０には、一回の取引にて合計金額「３０，０００円」が指定されて取引を実施したものとして送信し、手数料を一回の支払取引にて発生する手数料とする。
【００３５】
そして、次の取引にて、顧客が、操作部１６の操作画面に表示される取引選択画面にて通帳記帳取引を選択すると、実施例１と同様、図８（ｂ）のように支払金額とともに入力した用途が取引メモ１２２として印字されて顧客に返却される。
【００３６】
（実施例２の効果）
以上のように実施例２の自動取引装置によれば、一回の取引にて、取引金額の合計金額を入力し、当該合計金額を分割して所望の金額ごとにかかるメモを複数回繰り返して入力できるようにしたので、実施例１の効果に加え、取引する合計金額を最初に入力した後で所望の金額ごとにメモを入力することができ、メモを入力し易くすることができる。
【産業上の利用可能性】
【００３７】
以上述べたように、本発明は、現金取引を行い、当該取引結果を所定の媒体に記録して出力する現金自動預払機等の自動取引装置に広く用いることができる。
【符号の説明】
【００３８】
１    自動取引装置
１３  レシート出力口
１４  紙幣入出金口
１５  硬貨入出金口
１６  操作部
２０  主制御部
２３  カード処理部
２４  通帳記帳部
２５  レシート印字部
２６  紙幣入出金部
２７  硬貨入出金部
【図１】
0005720236.tif 000002
【図２】
0005720236.tif 000003
【図３】
0005720236.tif 000004
【図４】
0005720236.tif 000005
【図５】
0005720236.tif 000006
【図６】
0005720236.tif 000007
【図７】
0005720236.tif 000008
【図８】
0005720236.tif 000009
【図９】
0005720236.tif 000010
【図１０】
0005720236.tif 000011
【図１１】
0005720236.tif 000012